(57)【要約】　　　（修正有）【課題】入力操作部に表示する文字を拡大表示可能な凸レンズの装着及び収納を簡単に操作可能な文字表示拡大装置および文字表示拡大装置を備えた携帯端末を提供する。【解決手段】入力情報を表示し入力する入力操作部１と、この入力操作部１に表示する入力情報を表示する文字表示部３と、ここ文字表示部３の表示情報を拡大して入力操作部１に表示する入力情報認識凸レンズ２とを備え、入力情報を確認して入力操作部１を押すことにより入力情報が入力情報認識凸レンズ２に伝達され、入力情報認識凸レンズ２と入力受動装置５が接触することにより、入力情報が入力される。この構成により、実際に入力操作部に表示される入力情報を拡大表示することができる。【選択図】　図１
2004013446.tif 000002
【特許請求の範囲】
【請求項１】
入力される情報を表示する情報表示部と、前記情報を表示して入力される情報を表示して入力操作を行える入力情報認識操作手段と、前記情報表示部の情報を拡大して前記入力情報認識操作手段に表示する表示情報拡大手段とを備えることを特徴とする文字表示拡大装置。
【請求項２】
前記情報表示部に対する前記表示情報拡大手段の距離を変更する距離変更手段を備えることを特徴とする請求項１記載の文字表示拡大装置。
【請求項３】
前記距離変更手段は前記入力情報認識操作手段に表示する表示情報の拡大率を変更する機能を有することを特徴とする請求項２記載の文字表示拡大装置。
【請求項４】
前記表示情報拡大手段は物理的な圧力に対して変形する材料で成型されることを特徴とする請求項１ないし３のいずれかに記載の文字表示拡大装置。
【請求項５】
請求項１ないし４のいずれかに記載の文字表示拡大装置を備えることを特徴とする携帯端末。
【請求項６】
前記文字表示拡大装置に対し、前記表示情報拡大手段を収納収縮自在に備えた第１の筐体を有することを特徴とする請求項５記載の携帯端末。
【請求項７】
複数の前記文字表示拡大装置の各々に対する前記表示情報拡大手段を収納収縮自在に備えた第１の筐体を有することを特徴とする請求項５または６記載の携帯端末。
【請求項８】
前記文字表示拡大装置に対し、前記表示情報拡大手段を収納収縮自在に備え、かつ、前記文字表示拡大装置に対し着脱自在に備えた第２の筐体を有することを特徴とする請求項５記載の携帯端末。
【請求項９】
複数の前記文字表示拡大装置の各々に対する前記表示情報拡大手段を収納収縮自在に備え、かつ、前記文字表示拡大装置に対し着脱自在に備えた第２の筐体を有することを特徴とする請求項５または９記載の携帯端末。
【発明の詳細な説明】
【０００１】
【発明の属する技術分野】
本発明は、表示されている入力文字を拡大表示する文字表示拡大装置および文字表示拡大装置を備えた携帯端末に関するものである。
【０００２】
【従来の技術】
従来、この種の表示文字拡大装置を備えた携帯端末としては、例えば、特開２０００−１７４８６６号公報に開示されているような、表示画面（液晶画面）の上に着脱自在に凸レンズを装着して、携帯端末の小型化に伴い小さくされた表示画面でも見やすくするようにしたものがあった。
【０００３】
【発明が解決しようとする課題】
しかしながら、このような従来の表示文字拡大装置を備えた携帯端末では、表示画面（液晶画面）のみを拡大表示するものであるため、表示画面上の文字は見やすいももの、入力操作部（例えば、キー）に表示されている入力文字を拡大するものではなく、使用者が実際に入力情報を入力するための入力操作部の表示に対しては特に考慮していないため、高齢者や視覚障害者にとって入力操作部が見づらいという問題があった。
【０００４】
本発明は、上記のような従来の問題を解決するためになされたもので、入力操作部に表示する文字を拡大表示可能な凸レンズの装着及び収納を簡単に操作可能にする文字表示拡大装置および文字表示拡大装置を備えた携帯端末を提供するものである。
【０００５】
【課題を解決するための手段】
本発明における文字表示拡大装置は、入力される情報を表示する情報表示部と、前記情報を表示して入力される情報を表示して入力操作を行える入力情報認識操作手段と、前記情報表示部の情報を拡大して前記入力情報認識操作手段に表示する表示情報拡大手段とを備えるという構成を有している。この構成により、実際に入力情報認識操作手段に表示される入力情報を拡大して表示することができることとなる。
【０００６】
本発明における文字表示拡大装置は、前記情報表示部に対する前記表示情報拡大手段の距離を変更する距離変更手段を備えるという構成を有している。この構成により、情報表示部と凸レンズとの距離を任意に変化させることが可能となる。
【０００７】
本発明における文字表示拡大装置は、前記距離変更手段が前記入力情報認識操作手段に表示する表示情報の拡大率を変更する機能を有するという構成を有している。この構成により、入力情報認識操作手段に表示される、表示情報の拡大率を任意に変化させることができることとなる。
【０００８】
本発明における文字表示拡大装置は、前記表示情報拡大手段が物理的な圧力に対して変形する材料で成型されるという構成を有している。この構成により、入力操作におけるタッチの圧力を自由に変えることができることとなる。
【０００９】
本発明における携帯端末は、請求項１ないし４のいずれかに記載の文字表示拡大装置を備えるという構成を有している。この構成により、小型化されている携帯端末の大きさを変えることなく実際に表示される文字の拡大が可能となる。
【００１０】
本発明における携帯端末は、前記文字表示拡大装置に対し、前記表示情報拡大手段を収納収縮自在に備えた第１の筐体を有するという構成を有している。この構成により、使用者は、表示情報拡大手段の使用を任意に選択できることとなる。
【００１１】
本発明における携帯端末は、複数の前記文字表示拡大装置の各々に対する前記表示情報拡大手段を収納収縮自在に備えた第１の筐体を有するという構成を有している。この構成により、使用者が複数の文字表示拡大装置に対し表示情報拡大手段の使用を任意に選択できることとなる。
【００１２】
本発明における携帯端末は、前記文字表示拡大装置に対し、前記表示情報拡大手段を収納収縮自在に備え、かつ、前記文字表示拡大装置に対し着脱自在に備えた第２の筐体を有するという構成を有している。この構成により、使用者が表示情報拡大手段の使用を任意に選択できるとともに、使用しないときは任意に取り外して携帯端末を軽量にすることができることとなる。
【００１３】
本発明における携帯端末は、複数の前記文字表示拡大装置の各々に対する前記表示情報拡大手段を収納収縮自在に備え、かつ、前記文字表示拡大装置に対し着脱自在に備えた第２の筐体を有するという構成を有している。この構成により、使用者が複数の文字表示拡大装置に対し表示情報拡大手段の使用を任意に選択できるとともに、使用しないときは任意に取り外して携帯端末を軽量にすることができることとなる。
【００１４】
要するに、本発明は、入力情報認識操作手段（入力操作部）に対して表示情報を拡大表示可能な表示情報拡大手段（凸レンズ）を備え、さらに表示情報拡大手段の装着及び収納が可能な筐体を備えることにより、文字の拡大表示を簡易な操作により選択可能とする文字表示拡大装置及び文字表示拡大装置を備えた携帯端末を提供するものである。
【００１５】
【発明の実施の形態】
以下、添付図面に基づき、本発明の第１および第２の実施の形態を詳細に説明する。
まず、図１を参照して、本発明の第１の実施の形態における文字表示拡大装置の構成を詳細に説明する。図１に示す文字表示拡大装置は、文字表示部３に表示されている入力情報を表示して認識し操作して入力する入力情報認識操作手段としての入力操作部１と、文字表示部３に表示されている入力情報を拡大して入力操作部１で認識可能にする表示情報拡大手段としての入力情報認識凸レンズ２と、入力文字を表示する情報表示部としての文字表示部３と、文字表示部３に対する入力情報認識凸レンズ２からの距離を任意に変更可能にする距離可変装置４と、入力操作部１が押されることにより入力情報認識凸レンズ２が接触し、押された入力情報認識凸レンズ２と接触したことにより情報を入力する入力情報受動装置５とを備えて構成されたものである。
【００１６】
次に、図１を参照して、本発明の第１の実施の形態における文字表示拡大装置の動作を説明する。まず、使用者は、入力操作部１の下に入力情報認識凸レンズ２を配置することにより、拡大表示された文字表示部３の表示文字を確認して入力動作を行う。そして、入力操作部１を押すことにより、押下動作が入力情報認識凸レンズ２に伝達される。この入力情報認識凸レンズ２は入力情報受動装置５と接触することにより、入力情報受動装置５がそれを認識して外部に信号を出力し、情報の入力が完了する。また、使用者が拡大表示された文字表示部３の表示情報が確認できない場合、文字表示部３に対する入力情報認識凸レンズ２からの距離を距離可変装置４に設定して、文字表示部３の表示文字の拡大率を使用者により任意に変化させ、文字を拡大して確認することができる。
【００１７】
また、入力情報認識が可能な入力情報認識凸レンズ２は、例えば、柔らかいプラスチックのような、弾力性があり物理的な圧力に対して変形し圧力を離すと復元する材料で成型されるため、その形状は変形可能であり、入力情報認識凸レンズ２が入力情報受動装置５に当接したときにソフトな感じを与えるので、使用者は違和感なく押圧することができ、簡単かつ円滑に入力情報を入力情報受動装置５に伝達することができる。
【００１８】
以上説明したように、本実施の形態における文字表示拡大装置によれば、入力操作部１に入力情報認識が可能な入力情報認識凸レンズ２を設け、かつ文字表示部３に対する入力情報認識凸レンズ２からの距離を設定し変更する距離可変装置４を形成しているので、使用者が任意に拡大率を変更し、拡大表示された文字を確認することができる。また、入力情報認識が可能な入力情報認識凸レンズ２は変形可能な材質で作られるため、使用者は違和感のない押圧により簡単かつ円滑に入力情報を伝達することができる。
【００１９】
次に、図２を参照して、本発明の第２の実施の形態における文字表示拡大装置を備えた携帯端末の構成を説明する。本実施の形態における携帯端末に装着される文字表示拡大装置は、本発明の第１の実施の形態におけるものとは、入力操作部１を文字拡大手段を伴わない凸状の構造とし、入力を認識可能な入力情報認識凸レンズ２を装着しおよび収納可能な第１の筐体装置６（図２のＢ）、または携帯端末に対し入力情報認識凸レンズ２を着脱自在に取付ける第２の筐体装置７（図２のＣ）を設けた点が相違している。
【００２０】
第１の筐体装置６は携帯端末内に取り付けられている構造であり、図２のＡに示すように、第１の筐体装置６を収納した場合（各入力操作部１の下に対応する入力情報認識凸レンズ２を配置する）においては、入力操作部１をそのまま押下することにより、入力情報受動装置５を介して入力情報の伝達または入力が可能となる。
【００２１】
また、第２の筐体装置７は使用者がオプションとして、第２の筐体装置７を携帯端末に任意に取り付けることが可能な構造を有している。この構成によれば、使用者が任意に簡単な操作で文字表示の拡大の有無を自由に選択し、文字表示の拡大を希望する場合は第２の筐体装置７を装着し、文字表示の拡大を希望しない場合は第２の筐体装置７を離脱することができる。また、離脱した第２の筐体装置７は、単体で拡大鏡としての用途にも使用することができるという効果も得られる。
【００２２】
なお、以上説明した入力情報受動装置５は、上記のように、入力情報認識凸レンズ２の押圧を認識して信号を出力するような形式のもののみとは限らず、他の形式、例えば、入力操作部をタッチすることにより容量の変化を感知する容量結合を用いる、いわゆるタッチパネル方式などを利用したものでもよい。
【００２３】
【発明の効果】
本発明における文字表示拡大装置およびそれを備えた携帯端末は、上記のように構成され、特に、入力情報を拡大して認識でき、形状が変形可能な凸レンズと、表示情報の拡大率を任意に変更可能な距離可変装置とを備えることにより、入力操作部に表示される表示情報を拡大し、さらに拡大率を選択することができる簡易な操作および方法を提供できるという優れた効果を有するものである。
【図面の簡単な説明】
【図１】本発明の第１の実施の形態における文字表示拡大装置の構成を示す側部端面図、
【図２】本発明の第２の実施の形態における文字表示拡大装置を備えた携帯端末の構成を示す側部端面図。
【符号の説明】
１　入力操作部
２　入力情報認識凸レンズ
３　文字表示部
４　距離可変装置
５　入力情報受動装置
６　第１の筐体装置
７　第２の筐体装置
【図１】
2004013446.tif 000003
【図２】
2004013446.tif 000004